(57)【要約】 【課題】反射部と透過部での光学的効率を同じにし同じ色純度を得ることができ、高画質の反射透過型液晶表示裝置を製作することができ、バッファ層の模様が単純で工程収率を改善することができる反射透過型液晶表示装置とその製造方法を提供する。【解決手段】本発明による反射透過型液晶表示裝置の第1構成は、カラーフィルタの厚みを異なるようにするために、反射部に対応する上部基板にバッファ層を形成し、また、セルキャップを異なるようにするために透過部に対応する下部基板に段差を形成する構造とする。第2構成は、上記バッファ層を利用して透過部と反射部に対応するセルキャップ及びカラーフィルタの厚みを異なるようにする構成である。この時、上記バッファ層は上記第1構成のバッファ層に比べて厚く構成する。上記第1及び第2構成で、上記反射部は画素領域の下端に構成された補助容量部に対応する部分を使用し、上記反射部に対応するバッファ層は基板の全体から見た時一方向に延びたストライプ形状に構成される。【選択図】図7
2004212952.tif 000002
【特許請求の範囲】
【請求項１】
互いに離隔された第1基板及び2基板と;前記第1基板の内側面に形成されたゲート配線と;前記ゲート配線と平行に離隔された共通配線と;前記ゲート配線と交叉して前記ゲート配線と共通配線の間の面積を含む反射部と透過部で構成された画素領域を定義するデータ配線と;前記ゲート配線及びデータ配線に連結されて、ゲート電極とアクティブ層とソース電極及びドレイン電極を含む薄膜トランジスタと;前記ドレイン電極より延長され前記共通配線と重畳するキャパシタ-電極と;前記共通配線及び薄膜トランジスタを覆い、前記反射部に対応する反射層と;前記ドレイン電極と連結され、前記画素領域に位置する透明電極と;前記第2基板の内側面に形成されたブラックマトリクスと;前記ブラックマトリクス上部に形成され透明で反射部に対応するバッファ層と;前記バッファ層上部の画素領域に形成され、透過部での第1厚みが実質的に反射部での第2厚みの2倍であるカラーフィルタ層と;前記カラーフィルタ層上部の共通電極と;前記透明電極と共通電極の間の液晶層を含む反射透過型液晶表示裝置。
【請求項２】
前記バッファ層が隣接画素領域の反射部まで延長される請求項1記載の反射透過型液晶表示裝置。
【請求項３】
前記液晶層の透過部での第3厚さが実質的に反射部での第4厚さの2倍である請求項1記載の反射透過型液晶表示裝置。
【請求項４】
前記反射層が上記ゲート配線に隣接して前記画素領域のうちの下端部に形成された請求項1記載の反射透過型液晶表示裝置。
【請求項５】
前記反射層が四角形状である請求項4記載の反射透過型液晶表示裝置。
【請求項６】
前記透明電極が上記キャパシター電極と接触する請求項1記載の反射透過型液晶表示裝置。
【請求項７】
前記反射層が凹凸形状で構成された請求項1記載の反射透過型液晶表示裝置。
【請求項８】
前記反射層が銀(Ag)、アルミニウム(Al)、アルミニウム−ネオジミウム合金(AlNd)の中から選択された一つを含む請求項1記載の反射透過型液晶表示裝置。
【請求項９】
前記透明電極がインジウム−スズ酸化物(ITO)、インジウム−亜鉛酸化物(IZO)の中の一つを含む請求項1記載の反射透過型液晶表示裝置用アレー基板。
【請求項１０】
前記透過部に対応する開口部を持つ絶縁層をさらに含む請求項1記載の反射透過型液晶表示裝置。
【請求項１１】
透過部と反射部で構成される画素領域を有する第1基板上に、ゲート配線、前記ゲート配線に連結されるゲート電極及び前記ゲート配線と平行な共通配線を形成する段階と;前記ゲート配線、ゲート電極と共通配線上部に第1絶縁膜を形成する段階と;前記ゲート電極に対応する上記第1絶縁膜上部にアクティブ層を形成する段階と;前記アクティブ層上部に互いに離隔され、上記ゲート電極及びアクティブ層と共に薄膜トランジスタをなすソース電極及びドレイン電極と、上記第1絶縁膜上部に上記ドレイン電極より延長されて前記共通配線と重畳されるキャパシター電極、前記ゲート配線と交叉し前記ソース電極と連結されるデータ配線を形成する段階と;前記ソース電極及びドレイン電極、キャパシター電極とデータ配線上部に第2絶縁膜を形成する段階と;前記第2絶縁膜上部に上記共通配線と薄膜トランジスタを覆う反射層を形成する段階と;前記反射層上部に第3絶縁膜を形成する段階と;前記第3絶縁膜上部の画素領域に前記ドレイン電極に連結される透明電極を形成する段階と;前記透過部と反射部で構成される画素領域を有する第2基板上部にブラックマトリクスを形成する段階と;前記ブラックマトリクス上部に透明で反射部に対応するバッファ層を形成する段階と;前記バッファ層上部の画素領域に透過部での第1厚さが実質的に反射部での第2厚さの2倍であるカラーフィルタ層を形成する段階と;前記カラーフィルタ層上部に共通電極を形成する段階と;前記透明電極が前記共通電極に対向するように前記第1基板及び2基板を合着させる段階と;前記透明電極と共通電極の間に液晶層を形成する段階とを含む反射透過型液晶表示裝置製造方法。
【請求項１２】
前記反射層が凹凸形状に構成された請求項11記載の反射透過形液晶表示裝置製造方法。
【請求項１３】
前記第2絶縁膜上部の画素領域に有機物質を含む多数個のバンプを形成する段階と;前記多数個のパンプ上部に有機絶縁物質を含む第4絶縁膜を形成する段階と
をさらに含む請求項12記載の反射透過型液晶表示裝置製造方法。
【請求項１４】
前記第2乃至4絶縁膜に、上記透過部に対応される開口部を形成する段階をさらに含む請求項13記載の反射透過型液晶表示裝置製造方法。
【請求項１５】
前記反射層が四角形状である請求項11記載の反射透過型液晶表示裝置製造方法。
【発明の詳細な説明】
【技術分野】
【０００１】
本発明は液晶表示裝置(liquid crystal display device)に関するもので、特に反射モード(reflective mode)と透過モード(transmissive mode)を選択的に使用することができ、反射部と透過部で同一な光利用效率を得ることができ、製造工程を単純化することができる反射透過形液晶表示裝置に関するものである。
【背景技術】
【０００２】
一般的に、反射透過型液晶表示裝置は、透過型液晶表示裝置と反射型液晶表示裝置の機能を同時に持つもので、バックライト(back light)の光として外部の自然光又は人造光の両方を利用することができるため周辺環境の制約を受けることがなく、電力消費(power consumption)を減少させ得る長所がある。
【０００３】
図1は一般的な反射透過型液晶表示裝置用アレー基板の一部を概略的に図示した拡大平面図である。
図示したように、透明な絶縁基板(50)上に、一方向に延長されたゲート配線(52)と、前記ゲート配線(52)と垂直に交叉して画素領域(P)を定義するデータ配線(62)が構成される。
上記ゲート配線(52)とデータ配線(62)の交叉地点には、ゲート電極(54)、アクティブ層(56)、ソース電極(58)及びドレイン電極(60)を含む薄膜トランジスタ(T)が構成される。
【０００４】
上記画素領域(P)は透過部(D)と反射部(C)に定義され、透過部(D)に対応して透明電極(66)が、反射部(C)に対応して反射電極(反射板)(64)がそれぞれ構成される。
【０００５】
上記画素領域(P)の一側を通過するゲート配線(52)の上部の一部には、上記反射電極(64)又は透明電極(66)と接触する島形状の金属パターン(63)が構成され、これを第2電極としてその下部のゲート配線(52)を第1電極とする補助容量部(CST)が構成される。
【０００６】
前述したように構成される半透過画素電極の断面構成を、以下に図2及び図3を参照して説明する。
図2及び図3は、図1に示す従来の第1例による反射透過型液晶表示裝置をII−II線に沿って切断した部分の断面図である。
【０００７】
図2と図3に図示したように、第1基板(50)と第2基板(80)が離隔して合着され、第2基板(80)と向い合う第1基板(50)には多数の画素領域(P)が定義され、上記画素領域(P)の一側と、これとは平行でない他側を通過して互いに垂直に交叉するゲート配線(図示せず)及びデータ配線(62)が構成される。
【０００８】
上記第1基板(50)と向い合う第2基板(80)の一面には、赤色と緑色と青色を帯びる サブカラーフィルタ(84a,84b)が構成され、さらに各サブカラーフィルタ間にはブラックマトリクス(82)が構成され、上記サブカラーフィルタ(84a,84b)とブラックマトリクス(82)の上部には透明な共通電極(86)が構成される。
【０００９】
前述した構成で、上記画素領域(P)は、さらに反射部(C)と透過部(D)に分けられる。
【００１０】
一般的に、第1基板の反射部(C)に対応して反射電極(64)を構成し、透過部(D)に対応して透明電極(66)を構成するが、図示したように、透過孔(H)を含む反射電極(64)を透明電極(66)の上部又は下部に構成することで、透過部(C)と反射部(D)が定義されることもある。
この時、反射透過型液晶表示裝置で考慮すべきことは、透過部(D)と反射部(C)における色の差異を減少させることである。
【００１１】
このような点で、図2の構成は透過部(D)に対応する部分と反射部(C)に対応する部分を光が通過する距離d(液晶層を光が通過する時の液晶層の距離)が異なるために、光の偏光特性も異なる。
【００１２】
即ち、透過部(D)に対応して通過した光がdの厚みを有する液晶層(図示せず)を通過したとすると、反射部(C)を通過する光は反射電極(64)に1回は反射されるので2dの厚みを有する液晶層(図示せず)を通過するのと同じである。
【００１３】
従って、透過部(D)と反射部(C)に対応して通過される光はその偏光特性が異なるようになり、これにより透過モード時と反射モード時における色純度の差異が発生する。
【００１４】
これを解決するための方法として図3に図示したように、上記透過部(D)に対応する下部の絶縁膜(63)をエッチングしてエッチング溝(61)を形成し、この部分に液晶(図示せず)を満たす方法で反射部(C)と透過部(D)に対応して液晶層を通過する光の経路を同一にする構成が提案された（従来の第２例）。
【００１５】
この時、反射部に構成される液晶の高さがdとすれば、透過部に対応する液晶層の高さは望ましくは2dに構成される。
【００１６】
しかし、従来の第2例は反射部(C)と透過部(D)に位置する液晶の厚みを異なるように構成して、反射部(C)と透過部(D)での光利用効率を同一にすることができるが、同一な色純度を得ることはできない。
なぜならば、上記反射部(C)と透過部(D)に対応するカラーフィルタの厚みが同一であるため、上記反射部(C)を通過する光はカラーフィルタを2回通過するようになり、上記透過部(D)を通過する光は上記カラーフィルタを1回通過することになる。
【００１７】
従って、透過モードの場合に使用される光源が反射モードに使用される光源に比べて光の明るさがより強いとしても、上記透過モードに出射される光の色純度に比べて、反射モードの場合外部に出射される光がより高い色純度を有する結果になる。
【００１８】
これを解決するための方法として、従来の第３例として、上記反射部に対応するカラーフィルタに孔を形成し、孔を通して出る光とカラーフィルタを通過した光の平均効果で上記透過部との色の差異を合わせようとする方法が提案された。
【００１９】
以下、図4を参照して説明する。
図4は従来の第3例に従うカラーフィルタの構成を図示した平面図である。
図示したように、反射部(C)と透過部(D)に対応してカラーフィルタ(84)が構成されるが、上記反射部(C)に対応するカラーフィルタ(84)の一部に孔(88)を形成した。
【００２０】
このような構造は、上記カラーフィルタ層(84)に孔(88)を形成し、この部分を透明な有機膜(図示せず)で満たして構成し、上記孔(88)は反射部(C)の全体的な光の透過量を高めて、カラーフィルタ層(84)による光の吸收を減少させる役割をする。
【００２１】
このような構成を有するカラーフィルタの製造工程を、以下図5a乃至図5cを参照して説明する。
図5a乃至図5cは図4のV-V線に沿って切断し、従来の工程順序に従って図示した工程断面図である。
【００２２】
図5aに図示したように、基板(80)上にカラー樹脂を塗布しカラーフィルタ(84)を形成する。
上記カラーフィルタ層(84)をパタ-ニングし、図5bに図示したように、反射部(C)に対応して孔(88)を形成する。
図5cに図示したように、上記孔(88)が形成されたカラーフィルタ層(84)の全面に透明な有機絶縁物質を塗布して、オーバーコート層(90)を形成する。
【００２３】
次に、上記オーバーコート層(90)が形成された基板(80)の全面に透明共通電極(92)を形成することで、カラーフィルタ基板を製作することができる。
【００２４】
しかし、前述したような構成は、上記孔(88)を通過する光に対するカラーフィルタ(84)による濾過(filtering)效果が弱いうえ、孔(88)の大きさが上記カラー樹脂の特性上10μｍ以上に大きく形成されるため、カラーフィルタ層(84)を通過した光と孔(88)を通過した光の平均效果が弱い。
従って、反射部の全体的な色特性が劣化する問題点を有する。
【００２５】
このような問題を解決するための方法として、上記反射部に対応する部分のカラーフィルタ層の下部に透明なバッファ層を形成し、上記透過部と反射部に形成されるカラーフィルタの厚さを2:1に形成することで、透過部と反射部の色の差異を減少させる方法が提案された（従来の第４例）。
【００２６】
以下、図6を参照して説明する。
図6は図1のII-II線に沿って切断して、従来の第4例による液晶表示裝置の構成を概略的に図示した平面図である。
【００２７】
図示したように、多数の画素領域(P)が定義された下部基板(50)と上部基板(80)が所定間隔離隔されて位置し、上記上部基板(80)と下部基板(50)の間には液晶層(図示せず)が存在する。
【００２８】
上記下部基板(50)と向い合う上部基板(80)の一側面には、ブラックマトリクス(82)とカラーフィルタ層(84a,84b)と共通電極(86)を構成する。
場合によっては、上記共通電極(86)とカラーフィルタ層(84a,84b)間に平坦化層(図示せず)をさらに形成することもできる。
【００２９】
上記上部基板(80)と向い合う下部基板(50)の画素領域(P)は透過部(D)と反射部(C)に定義され、上記透過部(D)に対応して透明電極(66)が上記反射部(C)に対応して反射電極(64)が構成される。
【００３０】
一般的には図示したように、上記透明電極(66)の下部に孔(H)を含む反射電極(64)を構成することで、透過部(D)と反射部(C)を定義する。
【００３１】
この時、上記透過部(D)に対応する絶縁膜(63)をエッチングして段差を形成するようになるが、望ましくは透過部(D)に位置する液晶層(図示せず)の厚みd2は上記反射部(C)に位置する液晶層(図示せず)の厚みd1に対しd2≒2d1の値を持つように構成する。
【００３２】
このような構成で、上記カラーフィルタ層(84a,84b)は上記反射部に該当するカラーフィルタ層の高さ(t)と上記透過部に該当するカラーフィルタ層の厚み(2t)を異なるようにするため、上記反射部に対応する部分にバッファ層(保護層)(83)が形成される。
【００３３】
上記バッファ層(83)の影響により、上記透過部(D)に対応する部分に段差が発生してカラー樹脂を塗布する工程中、上記透過部(D)に対応する部分にカラー樹脂が流入されて厚く形成される。従って、透過部(D)と反射部(C)に対応する部分のカラーフィルタ層の厚みを異なるようにすることができる。
【発明の開示】
【発明が解決しようとする課題】
【００３４】
前述したような工程は、上記カラーフィルタの厚さを異なるようにするため、上記バッファ層の形状を上記反射部の形状に合うようにパターニングして構成しなければならず、バッファ層の構成が簡単でないので、これに従い工程収率が低下する原因になった。
【００３５】
特に、先に述べた従来の第1例のように透過部と反射部を配置する場合には図１から明らかなように、画素Pの左右及び上下に反射部Cが形成されるため、２つの画素Pをデータ配線を挟んでその両側に配置する構成となり、そのため左右方向の、反射板の長さが長くなり左/右視野での反射率の効率低下が発生するようになる。
【００３６】
本発明は前述した問題を解決するために案出されたもので、上記反射部の長さ比率による光効率低下を解決しバッファ層を簡単に構成するために、図７乃至図９に示すように、画素Pの左右には反射部を形成せず、画素Pの下端に反射部、トランジスタ及び補助容量部をまとめて構成状する。
【００３７】
上記反射部を前述したように構成すれば、上記反射部に対応して構成されるバッファ層の形状も又横方向に延長された構成になり構造が非常に簡単になる。
【００３８】
前述したような構成は図１３、図１４から明らかなように、透過部Dにおけるカラーフィルタの段差の設計を容易かつ正確に行うことができるので、上記透過部と反射部の色差異を同一にすることができ、バッファ層の形状が簡単でこれを形成する工程で微細な作業を必要としないために工程収率を改善することができる。
【課題を解決するための手段】
【００３９】
前述したような目的を達成するために本発明に従う反射透過型液晶表示裝置用アレー基板は、基板上に一方向に延長されたゲート配線と、ゲート配線と垂直に交叉して反射領域と透過領域に構成された画素領域に定義されたデータ配線と;上記ゲート配線と平行に離隔して一方向に延長されたストレージ配線と;上記画素領域の一側に位置して、ゲート電極とアクティブ層とソース電極とこれとは離隔されて構成され、上記共通配線の上部に延長された延長部を有するドレイン電極を含む薄膜トランジスタと;上記反射部に対応して位置し、上記ストレージ配線及び薄膜トランジスタを覆う反射板と;上記画素領域に位置し、上記ドレイン電極と連結された透明電極を含む。
【００４０】
上記反射領域は画素領域の下側に構成される。
上記透明電極は上記ドレイン電極の延長部と接触して構成し、上記反射板と透明電極は凹凸形状で構成される。
上記透過領域に対応して蝕刻溝形状の段差をさらに構成する。
【００４１】
本発明の特徴に従う反射透過型液晶表示裝置用アレー基板の製造方法は基板上に透過領域と反射領域で構成された画素領域を定義する段階と、上記画素領域の一側を通過して延長されたゲート配線とこれに連結されたゲート電極と、ゲート配線とは平行に離隔され上記反射部に対応して一方向に延長される共通配線を形成する段階と;上記ゲート電極とゲート配線と共通配線が形成された基板の全面に第1絶縁膜であるゲート絶縁膜を形成する段階と;上記ゲート電極上部のゲート絶縁膜上にアクティブ層とオ-ミックコンタクト層を形成する段階と;上記オ-ミックコンタクト層の一側上部にソース電極とこれと離隔され上記ストレージ配線の上部に延びた延長部を含むドレイン電極と、上記ソース電極と連結されて上記ゲート配線と垂直な方向に延びたデータ配線を形成する段階と;上記共通配線と薄膜トランジスタを含む一部画素領域に第2絶縁膜を間に置いて反射板を形成する段階と;上記反射板を含む画素領域の上部に、第3絶縁膜を間に置いて上記ドレイン電極と接触する透明電極を形成する段階を含む。
【００４２】
上記反射領域と透過領域に対応する反射板と透明電極を凹凸形状で形成する。
上記反射板と透明電極を凹凸形状に形成する工程は、ソース及びドレイン電極が形成された基板の全面に有機絶縁物質を塗布し、上記画素領域に対応して凸形状で構成された多数のバンプを形成する段階と;上記バンプが形成された基板の全面に有機絶縁物質を塗布し、上記バンプにより画素領域に対応する表面が凹凸形状に構成されたバンプ層を形成する段階と;上記バンプ層の上部に反射板と透明電極を形成する段階を含む。
【００４３】
上記透過領域に対応する上記第1乃至第3絶縁膜を除去して蝕刻溝を形成し、上記反射領域と透過領域に段差を形成する段階をさらに含む。
【００４４】
上記反射板は銀(Ag)、アルミニウム(Al)、アルミニウム合金(AlNd)の中から選択された一つで形成され、上記透明電極はインジウム−スズ酸化物(ITO)、インジウム−亜鉛酸化物(IZO)の中から選択された一つで形成される。
【００４５】
本発明の第1特徴に従う反射透過型液晶表示裝置は、透過部と反射部で構成された多数の画素領域が定義され、所定間隔離隔されて構成された第1基板と第2基板と;第1基板に対向する一面に一方向に延びるゲート配線と、ゲート配線と垂直に交叉し反射領域と透過領域で構成された画素領域を定義するデータ配線と;上記ゲート配線と平行に離隔されて一方向に延びる共通配線と;上記画素領域の一側に位置して、ゲート電極とアクティブ層とソース電極とこれとは離隔して構成され、上記共通配線の上部に延長された延長部を有するドレイン電極を含む薄膜トランジスタと;上記反射部に対応して位置し、上記共通配線及び薄膜トランジスタを覆う反射板と;上記画素領域に位置し、上記ドレイン電極と連結された透明電極と;上記第2基板の対向する一面に、上記データ配線に対応して構成されたブラックマトリクスと;上記ブラックマトリクスを含む反射領域に対応して一方向に延長された透明なバッファ層と;上記バッファ層を含む画素領域の上部に構成され、反射領域と透過領域に対応し1:2の厚み比で段差を持つように構成されたカラーフィルタと;上記カラーフィルタの上部に構成された透明共通電極を含む。
【００４６】
本発明の第2特徴に従う反射透過型液晶表示裝置は、透過部と反射部で構成された多数の画素領域が定義され、所定間隔離隔されて構成された第1基板と第2基板と;第1基板の対向する一面に一方向に延びたゲート配線と、ゲート配線と垂直に交叉し反射領域と透過領域に構成された画素領域を定義するデータ配線と;上記ゲート配線と平行に離隔して一方向に延長された共通配線と;上記画素領域一側に位置し、ゲート電極とアクティブ層とソース電極とこれとは離隔されて構成され、上記共通配線の上部に延長された延長部を有するドレイン電極を含む薄膜トランジスタと;上記反射部に対応して位置し、上記共通配線及び薄膜トランジスタを覆う反射板と;上記透過領域に対応して構成された蝕刻溝と;上記ドレイン電極と連結されて画素領域に構成された透明電極と;上記第2基板の対向する一面に,上記データ配線に対応して構成されたブラックマトリクスと;上記ブラックマトリクスを含む反射領域に対応して一方向に延びる透明なバッファ層と;上記バッファ層を含む画素領域の上部に構成され、反射領域と透過領域に対応して1:2の厚さ比で構成されたカラーフィルタと;上記カラーフィルタの上部に構成された透明な共通電極を含む。
【００４７】
上記反射領域と透過領域に対応する第1基板と第2基板の間の間隔比は1:2に構成される。
上記反射領域は画素領域の下側に構成される。
【発明の効果】
【００４８】
前述したような第1及び第2実施例に従う反射透過型液晶表示裝置は、反射部と透過部に対応するセルキャップを1:2の比で構成すると同時に、上記反射部と透過部に対応するカラーフィルタの厚さを1:2で形成したために、透過部と反射部での同一な光学効果を得ることができ、色純度もまた同一に具現することができ、高輝度と高画質を具現する反射透過型液晶表示裝置を製作することができる効果がある。
【発明を実施するための最良の形態】
【００４９】
以下、添付図面を参照して発明を実施するための最良の実施例を説明する。
【００５０】
-- 第1実施例 -- 
図7は本発明の実施例に従う液晶表示裝置用アレー基板の一部構成とこれに対応する上部カラーフィルタ基板を図示した平面図である。
図7に図示したように、基板(100)上に一方向に延びるゲート配線(104)と、ゲート配線(104)に垂直に交叉して透過領域(D)と反射領域(C)に構成された画素領域を定義するデータ配線(122)で構成される。
【００５１】
上記ゲート配線(104)とデータ配線(122)の交叉地点には上記ゲート配線(104)と連結されたゲート電極(102)と、ゲート電極(102)上部のアクティブ層(112)と、アクティブ層(112)上に位置し上記データ配線(122)と連結されたソース電極(116)と、これとは所定間隔離隔されたドレイン電極(118)を構成する。
この時、上記反射領域(C)は、薄膜トランジスタ(T)を含む画素領域(P)の下部領域に定義され、上記透過領域(D)は上記反射領域(C)を除外した殘りの領域である。
【００５２】
前述した構成で、上記反射領域(C)に対応して位置し、上記ゲート配線(104)と平行に離隔して一方向に延びる共通配線(106)を構成する。
上記共通配線(106)は、補助容量部（CST）を形成するための手段であり、上記反射領域(C)に対応する共通配線(106)で広い面積で延びた部分(108)を第1電極にし、上記ドレイン電極(118)から延びて上記第1電極と平面的に重畳されるように構成された部分(120)を第2電極にする。
【００５３】
上記画素領域(P)には反射領域(C)に対応して反射板(126)を構成し、透過領域(D)に対応し上記ドレイン電極(118)と接触する透明電極(132)を構成する。
望ましくは、上記反射板(126)の表面を凹凸形状に構成し、これは反射部の輝度及び視野角を拡大させる手段として構成される。
【００５４】
前述したような平面構成は、液晶パネル全体から見れば基板の横方向に延びる反射領域と透過領域が上下に構成された形状である。
【００５５】
このような構成は従来に比べて反射領域と透過領域の形状が非常に単純である。従って、上部基板に構成され透過領域と反射領域に対応してカラーフィルタの厚みが異なる二重カラーフィルタ構造(dual collor filter)のため、構成するバッファ層の形状もなお単純に構成することができる。
【００５６】
以下、図8と図9を参照して説明する。
図8は、本発明の実施例に従う液晶表示裝置用カラーフィルタ基板のひとつの画素に対応する平面的な構成を概略的に図示した平面図であり、図9は多数個の画素が構成された本発明の実施例に従う液晶表示裝置用カラーフィルタ基板の構成を概略的に図示した平面図である。
【００５７】
図７及び図8に図示したように、透過部(D)と反射部(C)に定義された画素領域(P)の両側、即ち、上記データ配線(122)と対応する部分には一方向に延びるブラックマトリクス(202)を構成し、上記反射部(C)にはバッファ層(204)を形成する。
上記バッファ層(204)を含む画素領域(P)にはカラーフィルタ(206)を構成する。
【００５８】
前述した形状で基板の全体より見れば図9に図示したように、透過部(D)と反射部(C)に構成された多数の画素領域(P)が位置し、上記ブラックマトリクス(202)は画素領域(P)の境界毎に上下に延びるように構成し、上記反射部(C)は平行に隣接した画素領域(P)の下端に上記ブラックマトリクス(202)と垂直に交叉して一方向に延びる形状で構成される。
【００５９】
従って、従来に比べてバッファ層(204)の形状が非常に単純になったのを知ることができ、上記カラーフィルタ(206)を二重構造(透過部と反射部に対応して厚みが互いに異なる構造)に形成するのに非常に容易な構成である。
【００６０】
以下、図10a乃至図10fと図11a乃至図11fを参照して、本発明に従う液晶表示裝置用アレー基板の製造工程を説明する。
図10a乃至図10fと図11a乃至図11fは図7のX-X線とXI-XI線に沿って切断して、本発明の実施例による液晶表示裝置用アレー基板の製造工程を工程順序に従い図示した工程断面図である。
【００６１】
図10aと図11aに図示したように、基板(100)上に透過領域(D)と反射領域(C)に構成された画素領域(P)を定義する。
【００６２】
上記画素領域(P)が定義された基板(100)の全面に、アルミニウム(Al)、アルミニウム−ネオジム合金(AlNd)、タングステン(W)、クロム(Cr)、モリブテン(Mo)等の単一金属か、アルミニウム(Al)/クロム(Cr)(又はモリブテン(Mo))等の二重金属層でゲート電極(102)と、これに連結された一方向に延びるゲート配線(図7の104)を形成する。
【００６３】
このようなゲート電極(102)とゲート配線(図7の104)を形成する物質は、液晶表示裝置の動作に重要であるためにRC遅延(delay)を少なくするために抵抗が小さいアルミニウムが主流をなしているが、純粋アルミニウムは化学的に耐蝕性が弱く、後続の高温工程でヒラック(hillock)形成による配線欠陥問題を惹起するので、アルミニウム配線の場合には前述したように合金の形態で使用されるか積層構造が適用される。
【００６４】
同時に、上記ゲート配線(図7の104)と所定間隔離隔して平行に構成された共通配線(106)を形成する。
上記共通配線(106)は、反射領域(C)に対応して延長部(108)を有し、これは補助容量部の第1電極の機能をする。
【００６５】
次に、図10bと図11bに図示したように、上記ゲート電極(102)等が形成された基板(100)上に、ベンゾサイクロブテン(BCB)とアクリル(Acryl)系樹脂(resin)等を含む有機絶縁物質グループの中から選択された一つを塗布し、第1絶縁膜であるゲート絶縁膜(110)を形成する。
【００６６】
上記ゲート絶縁膜(110)の上部に、純粋非晶質シリコン(a-Si:H)層と不純物が含まれた非晶質シリコン(n+ 又は p+ a-Si:H)層を積層しパターニングし、上記ゲート電極(102)上部のゲート絶縁膜(110)上にアクティブ層(112)とオーミックコンタクト層(114)を形成する。
【００６７】
図10cと図11cに図示したように、上記オーミックコンタクト層(114)上部に、ソース電極(116)及びドレイン電極(118)を形成する。同時に、上記ゲート絶縁膜(110)上部に、データ配線(122)とドレイン電極の延長部(120)を形成する。上記データ配線(122)は上記ソース電極(116)に連結され、上記ドレイン電極(118)より延長されたドレイン電極の延長部(120)は補助容量部の第2電極の機能をする。即ち、上記ドレイン電極の延長部(120)は、上記ゲート絶縁膜(110)を間に置いて上記共通配線の延長部(108)と重畳されて補助容量部(CST)を形成する。
【００６８】
上記ソース電極(116)及びドレイン電極(118)とデータ配線(122)とドレイン電極の延長部(120)が形成された基板(100)の全面に、窒化シリコン(SiNX)と酸化シリコン(SiO2)を含む無機絶縁物質グループの中から選択された一つを蒸着して第2絶縁膜である保護膜(124)を形成する。
【００６９】
図10dと図11dに図示したように、上記保護膜(124)が形成された基板(100)の全面に樹脂系列有機物質を塗布しパターニングし、凹凸形状のバンプ(bump)(M1)を形成する。
【００７０】
上記バンプ(M1)は、塗布された樹脂膜をフォトエッチング工程を介してパターニングした後、熱を用いて丸く成形する方法で形成される。
【００７１】
続いて、上記凹凸形状のバンプ(M1)が形成された基板(100)の全面に、前述した樹脂系列の有機物質を塗布してバンプ層(M2)を形成する。上記バンプ層(M2)の表面は上記バンプ(M1)により微細な高さを有する凹凸形状になる。
【００７２】
図10eと図11eに図示したように、上記微細な凹凸形状であるバンプ層(M2)が形成された基板(100)の全面に、銀(Ag)、アルミニウム(Al)、アルミニウム−ネオジム合金(AlNd)のような反射率が優秀な金属を蒸着しパターニングして、上記反射領域(C)に対応して反射板(126)を形成する。
この時、上記反射板(126)の一部領域に対応してエッチング溝(H1)を形成する。
【００７３】
図10fと図11fに図示したように、上記反射板(126)が形成された基板(100)の全面に窒化シリコン(SiNx)と酸化シリコン(SiO2)を含む無機絶縁物質グループの中から選択された一つ、又はベンゾサイクロブテン(BCB)とアクリル(acryl)系樹脂(resin)を含む有機絶縁物質グループの中から選択された一つを蒸着又は塗布して第2保護膜(128)を形成する。
【００７４】
続いて、上記第2保護膜(128)をパターニングして、上記第1エッチング溝(図10eのH1)に対応する部分を除去して、上記ドレイン電極(118)より延長された第1電極(120)の一部を露出させる工程を進行する。
【００７５】
次に、上記保護膜(128)が形成された基板(100)の全面にインジウム−スズ酸化物(ITO)とインジウム−亜鉛酸化物(IZO)を含む透明導電性金属物質グループの中から選択された一つを蒸着しパターニングして、上記ドレイン電極(118)と接触しながら画素領域(P)に位置した画素電極(132)を形成する。
【００７６】
前述したような工程で本発明に従う有機電界発光素子用アレー基板を製作することができる。
【００７７】
以下、図12a乃至図12cを参照して本発明の第1実施例におけるカラーフィルタの製造工程を説明する。
図12a乃至図12cは図8のXII-XII線沿って切断し、本発明の実施例による液晶表示裝置用カラーフィルタの製造工程を工程順序に従い図示した工程断面図である。
【００７８】
図12aに図示したように、基板上に透過領域(D)と反射領域(C)で構成された画素領域(P)を定義する。
【００７９】
上記基板(200)上に、クロム(Cr)又はクロム/クロムオクサイド(Cr/CrOX)の二重層を形成しパターニングして、上記データ配線(図7の120)に対応する部分に一方向に延長されたブラックマトリクス(202)を形成する。
【００８０】
図12bに図示したように、上記ブラックマトリクス(202)が形成された基板(200)の全面に透明な有機絶縁物質を塗布してパターニングし、ブラックマトリクス(202)を含む反射領域(C)の上部に所定の高さを有する透明なバッファ層(204)を形成する。
【００８１】
次に、図12cに図示したように、上記バッファ層(204)が形成された基板(200)の全面にカラー樹脂を塗布して、画素領域(P)に対応してカラーフィルタ(206)を形成する。
【００８２】
この時、上記バッファ層(204)の影響で上記反射領域(C)に対応するカラーフィルタ(206)の厚さと、上記透過部(D)に対応するカラーフィルタ(206)の厚さは、t:2tの比率で形成することができる。図示していないが、上記カラーフィルタの上部に共通電極を形成する。
【００８３】
前述したような工程を通して本発明の第1実施例に従うカラーフィルタ基板を構成することができる。
【００８４】
上記カラーフィルタ基板と先の工程で製作したアレー基板を合着すると、図13に図示したように構成される。
【００８５】
図13は、本発明の第1実施例に従う反射透過型液晶表示裝置の一部に対する概略的な断面図である。
【００８６】
図示したように、反射領域(C)と透過領域(D)で構成された画素領域(P)が定義された第1基板(100)と第2基板(200)とを離隔して構成し、上記第1基板(100)の対向する一面には画素領域(P)の一側と他側を通過して垂直に交叉するゲート配線(図示せず)とデータ配線(122)が構成され、上記2配線が交叉する地点にはゲート電極(102)と、アクティブ層(112)とソース電極(116)とドレイン電極(118)を含む薄膜トランジスタ(T)を構成する。
【００８７】
上記反射領域(C)に対応して、ゲート配線(図示せず)と平行に離隔して共通配線(106)が構成され、共通配線(106)より延長された延長部(108)を第1電極にし、これとはゲート絶縁膜(110)を間に置いて上記ドレイン電極(118)より延長された延長部(120)を第2電極にする補助容量部(CST)を構成する。
【００８８】
上記反射領域(C)に対応して反射板(126)を構成し、上記透過領域(D)に対応して上記ドレイン電極(118)と電気的に連結される透明画素電極(132)を構成する。この時、上記透過領域(D)に対応して、開口部(131)を形成する。
【００８９】
上記第1基板(100)と対向する第2基板(200)の一面には、上記データ配線(122)に対応してブラックマトリクス(202)を構成し、上記ブラックマトリクス(202)を含む反射領域(C)の上部に透明なバッファ層(204)を形成する。
上記反射領域(C)と透過領域(D)の上部にはカラーフィルタ(206)を構成する。
【００９０】
前述したように本発明の第1実施例に従う第1特徴は、上記アレー基板に構成する補助容量部(CST)をストレージ・オン・コモン(storage on common)構造で形成し、これを薄膜トランジスタ(T)と近接した領域に構成し、この部分は反射領域(C)に対応して構成されるようにする。
【００９１】
従って、反射領域(C)は画素領域(P)の下端に定義され、これを除外した領域に透過領域(D)が定義されて反射領域(C)の形状が非常に単純になる。
【００９２】
故に、上部基板(200)に構成するバッファ層(204)の構造が従来に比べて単純になり、上記透過領域(D)と反射領域(C)に対応してカラーフィルタ(206)の厚さをt:2tの比率に調節するのが容易になる。
なお、反射領域(C)に対応して凹凸を形成するのが容易になる。
【００９３】
第2の特徴は、上記第1基板に開口部(131)構造の段差を形成することで、上記反射領域(C)と透過領域(D)のセルキャップをd:2dの比率で構成することができるために、透過モードと反射モード時、光の偏光特性を同一に合わせることができる。
【００９４】
第3の特徴は、上記反射板(126)を凹凸形状に構成し、輝度及び視野角特性を改善することができる。
【００９５】
従って、本発明は上記第1乃至第3の特徴に従い、反射領域(C)と透過領域(D)で同一な色特性を具現すると同時に高輝度を具現することができる長所がある。
尚、単純になったバッファ層の構造により工程収率を改善させることができる長所がある。
【００９６】
前述したような構成で、本発明の第1実施例に従う反射透過型液晶表示裝置を製作することができる。
【００９７】
ところが、第1実施例の構成は、上記反射部と透過部に対応してセルキャップの厚さを1:2の比に合わせるために下部基板の絶縁膜をエッチングする工程を進行した。
【００９８】
このような工程は、上記開口部の段差を高めるために有機膜を厚く塗布し、これをパターニングする方式で段差の高さを調節する工程を進行した。
従って、工程上非常に複雜で費用が上昇する問題があった。
以下、第2実施例はこのような問題を解決するために提案されたものである。
【００９９】
--第2実施例 --
本発明の第2実施例は、上部カラーフィルタに構成するバッファ層の段差により、反射領域と透過領域に対応するカラーフィルタの厚さを1:2にすると同時に、カラーフィルタの表面段差を付与して、透過部のセルキャップを反射部のセルキャップの2倍に構成されるようにすることを特徴とする。
【０１００】
図14は、本発明の第2実施例に従う反射透過型液晶表示裝置の断面図である。
図示したように、反射領域(C)と透過領域(D)で構成された画素領域(P)が定義された第1基板(100)と第2基板(200)とを離隔して構成し、上記第1基板(100)に対向する一面には画素領域(P)の一側と他側を通過して垂直に交叉するゲート配線(図示せず)とデータ配線(122)が構成され、上記2配線が交叉する地点にはゲート電極(102)と、アクティブ層(112)とソース電極(116)とドレイン電極(118)を含む薄膜トランジスタ(T)を構成する。
【０１０１】
上記反射領域(C)に対応して、ゲート配線(図示せず)と平行に離隔して共通配線(106)が構成され、共通配線(106)より延長された延長部(108)を第1電極にし、これとはゲート絶縁膜(110)を間に置いて上記ドレイン電極(118)より延長された延長部(120)を第2電極にする補助容量部(CST)を構成する。
【０１０２】
上記反射領域(C)に対応して反射板(126)を構成し、上記透過領域(D)に対応して上記ドレイン電極(118)と電気的に連結される透明画素電極(132)を構成する。
この時、透過領域に対応して従来とは異なり開口部形態の段差を構成しないのを特徴とする。
【０１０３】
上記第1基板(100)と対向する第2基板(200)の一面には、上記データ配線(122)に対応してブラックマトリクス(202)を構成し、上記ブラックマトリクス(202)を含む反射領域(C)の上部に透明なバッファ層(204)を形成する。
上記反射領域(C)と透過領域(D)の上部にはカラーフィルタ(206)を構成する。
【０１０４】
この時、上記バッファ層(204)は上記カラーフィルタの段差を付与するために、一定な範囲内の高さで構成されなければならない。
例えば、反射領域(C)と透過領域(D)に対応するカラーフィルタの表面段差の厚さ範囲を2.0μm〜2.5μmにするためには、上記バッファ層(204)の厚さ範囲を2.5μm〜4.0μmにするのが望ましい。
【０１０５】
このようにすれば、上記下部基板に段差を付与するための別途工程なしにも、反射領域と透過領域に対応してt:2tの厚さ比で段差をもつように構成したカラーフィルタの構成により、透過領域と反射領域に対応する液晶セルキャップを2d:dの比率で構成することができるので、先の第1実施例に比べて工程が単純になる長所がある。
【図面の簡単な説明】
【０１０６】
【図１】一般的な反射透過型液晶表示裝置用アレー基板の一部画素を概略的に図示した平面図。
【図２】図1のII-II線に沿って切断してこれを参照し従来の第1例に従い反射透過型液晶表示裝置の構成を図示した断面図。
【図３】図1のII-II線に沿って切断してこれを参照し従来の第2例に従い反射透過型液晶表示裝置の構成を図示した断面図。
【図４】従来の第3例に従う反射透過型液晶表示裝置用カラーフィルタの構成を図示した図面。
【図５ａ】従来の第3例に従う反射透過型液晶表示裝置用カラーフィルタ基板の製造工程を図示した工程断面図。
【図５ｂ】従来の第3例に従う反射透過型液晶表示裝置用カラーフィルタ基板の製造工程を図示した工程断面図。
【図５ｃ】従来の第3例に従う反射透過型液晶表示裝置用カラーフィルタ基板の製造工程を図示した工程断面図。
【図６】図1のII-II線に沿って切断し従来の第4例に従う液晶表示裝置の構成を概略的に図示した断面図。
【図７】本発明の実施例に従う液晶表示裝置用アレー基板の一部構成とこれに対応するカラーフィルタ基板を図示した平面図。
【図８】本発明の実施例に従う液晶表示裝置用カラーフィルタ基板の一つの画素に対応する平面的な構成を概略的に図示した平面図。
【図９】多数個の画素が構成された本発明の実施例に従う液晶表示裝置用カラーフィルタ基板の構成を概略的に図示した平面図。
【図１０ａ】本発明の実施例に従う液晶表示裝置用アレー基板の製造工程を図示した工程断面図。
【図１０ｂ】本発明の実施例に従う液晶表示裝置用アレー基板の製造工程を図示した工程断面図。
【図１０ｃ】本発明の実施例に従う液晶表示裝置用アレー基板の製造工程を図示した工程断面図。
【図１０ｄ】本発明の実施例に従う液晶表示裝置用アレー基板の製造工程を図示した工程断面図。
【図１０ｅ】本発明の実施例に従う液晶表示裝置用アレー基板の製造工程を図示した工程断面図。
【図１０ｆ】本発明の実施例に従う液晶表示裝置用アレー基板の製造工程を図示した工程断面図。
【図１１ａ】本発明の実施例に従う液晶表示裝置用アレー基板の製造工程を図示した工程断面図。
【図１１ｂ】本発明の実施例に従う液晶表示裝置用アレー基板の製造工程を図示した工程断面図。
【図１１ｃ】本発明の実施例に従う液晶表示裝置用アレー基板の製造工程を図示した工程断面図。
【図１１ｄ】本発明の実施例に従う液晶表示裝置用アレー基板の製造工程を図示した工程断面図。
【図１１ｅ】本発明の実施例に従う液晶表示裝置用アレー基板の製造工程を図示した工程断面図。
【図１１ｆ】本発明の実施例に従う液晶表示裝置用アレー基板の製造工程を図示した工程断面図。
【図１２ａ】本発明実施例に従う液晶表示裝置用カラーフィルタ基板の製造工程を図示した工程断面図。
【図１２ｂ】本発明実施例に従う液晶表示裝置用カラーフィルタ基板の製造工程を図示した工程断面図。
【図１２ｃ】本発明実施例に従う液晶表示裝置用カラーフィルタ基板の製造工程を図示した工程断面図。
【図１３】本発明の実施例に従う反射透過型液晶表示裝置の一部に対する概略的な断面図。
【図１４】本発明の又他の実施例に従う反射透過型液晶表示裝置の一部に対する概略的な断面図。
【符号の説明】
【０１０７】
100 : 基板                             
102 : ゲート電極  
104 : ゲート配線                       
106 : 共通配線  
108 : 共通配線の延長部                 
112 :  半導体層
116 : ソース電極                       
118 : ドレイン電極  
120 : ドレイン電極の延長部             
122 : データ配線  
132 : 画素電極  
【図１】
2004212952.tif 000003
【図２】
2004212952.tif 000004
【図３】
2004212952.tif 000005
【図４】
2004212952.tif 000006
【図５ａ】
2004212952.tif 000007
【図５ｂ】
2004212952.tif 000008
【図５ｃ】
2004212952.tif 000009
【図６】
2004212952.tif 000010
【図７】
2004212952.tif 000011
【図８】
2004212952.tif 000012
【図９】
2004212952.tif 000013
【図１０ａ】
2004212952.tif 000014
【図１０ｂ】
2004212952.tif 000015
【図１０ｃ】
2004212952.tif 000016
【図１０ｄ】
2004212952.tif 000017
【図１０ｅ】
2004212952.tif 000018
【図１０ｆ】
2004212952.tif 000019
【図１１ａ】
2004212952.tif 000020
【図１１ｂ】
2004212952.tif 000021
【図１１ｃ】
2004212952.tif 000022
【図１１ｄ】
2004212952.tif 000023
【図１１ｅ】
2004212952.tif 000024
【図１１ｆ】
2004212952.tif 000025
【図１２ａ】
2004212952.tif 000026
【図１２ｂ】
2004212952.tif 000027
【図１２ｃ】
2004212952.tif 000028
【図１３】
2004212952.tif 000029
【図１４】
2004212952.tif 000030